(57)【特許請求の範囲】
【請求項１】
遊技盤面に障害釘、入賞装置等の盤面部品を配設した遊技部を囲うようにしてガイドレールが敷設され、前記遊技盤面を前から見てその一側に位置する前記ガイドレールが所定の範囲に亘り分断される分断部が前記遊技盤面に形成されている弾球遊技機であって、
前記ガイドレールに、そのレール幅と略同じ幅を有しかつ前記分断部に接する端部から前記遊技盤面に対して直交する状態で該遊技盤面に沿って自在に進退動する補助部材を装着したことを特徴とする弾球遊技機。
【請求項２】
前記ガイドレールは略渦巻き状に敷設される外側のガイドレールと内側のガイドレールとからなり、前記分断部は前記遊技盤面を前から見てその一側上部に位置する前記外側のガイドレールの端部と該遊技盤面を前から見てその一側下部に位置する前記内側のガイドレールの端部との間に形成され、前記内側のガイドレールに前記補助部材が装着されている請求項１記載の弾球遊技機。
【請求項３】
前記ガイドレールは略渦巻き状に敷設される外側のガイドレールと内側のガイドレールとからなり、前記分断部は前記遊技盤面を前から見てその一側上部に位置する前記外側のガイドレールの端部と該遊技盤面を前から見てその一側下部に位置する前記内側のガイドレールの端部との間に形成され、前記外側のガイドレールに前記補助部材が装着されている請求項１記載の弾球遊技機。
【請求項４】
前記補助部材は補助レールであって、前記ガイドレールの端部からその長手方向に沿って自在に進退動するようにした請求項１乃至３内のいずれか一つに記載の弾球遊技機。
【発明の詳細な説明】
【技術分野】
【０００１】
本発明は、遊技盤面に障害釘、入賞装置等の盤面部品を配設した遊技部を囲うようにしてガイドレールが敷設される弾球遊技機に関するものである。
【背景技術】
【０００２】
従来、弾球遊技機の一種であるパチンコ遊技機にあっては、その遊技盤面に障害釘、入賞装置等の盤面部品を配設した遊技部が形成され、該遊技部の周囲を囲うようにして内側のガイドレールと外側のガイドレールとがそれぞれ略円弧状にしかも渦巻き状に敷設されている。一般に、この種パチンコ遊技機の製造過程では、遊技盤面の所定位置に多くの障害釘を打設すると共に遊技盤面にレール釘を打ち込むことにより内側・外側のガイドレールを敷設し、このように障害釘と内側・外側のガイドレールを設けた状態で遊技盤を多段に積み上げ保管するようにしている。ただ、遊技盤面に装着する入賞装置等の所謂役物がない状態では、前記遊技盤を多段に積み上げて保管する場合、遊技盤が傾き易く不安定になってバランスを崩し荷崩れを起こす危険性が有る。そこで、前記内側・外側のガイドレールはその上段の遊技盤を上下左右均等に下から支えそのバランスを安定に保つ働きを有している。
【０００３】
ところで、近時、パチンコ遊技機にあっては、遊技盤面の中央に図柄を変動表示する表示部を備えた変動表示装置を配設し、変動する図柄が停止したときの組合せが特定の組合せ（例えば、７７７）に揃うと、遊技者に有利な特別遊技状態、すなわち「大当り」になり、一度に多くの入賞球が得られるようにしたパチンコ遊技機が長く人気を博している。この種のパチンコ遊技機では、遊技の面白さを増すために表示部が大型化し、これに伴い変動表示装置も大型化している。しかも、その変動表示装置は遊技盤面を前側から見て右側へ張り出ており、このため、その部位を控えて内側のガイドレールが敷設される。すなわち、本来の内側のガイドレールの始端の位置を変動表示装置の下方に勢い下げざるを得なくなってきている（例えば、特許文献１参照。）。
【０００４】
【特許文献１】特開２００６−２６３１２９号公報（第６頁段落００２７と段落００２８、図３）
【発明の開示】
【発明が解決しようとする課題】
【０００５】
しかしながら、前記内側のガイドレールの始端の位置を下げた場合、内側のガイドレールの長手方向に沿った長さが短くなり、障害釘と内側・外側のガイドレールのみを設けた状態で遊技盤を多段に積み上げ保管する場合、前記内側のガイドレールが短くなった分上段の遊技盤を下から支持する部位が減り、ともすると、遊技盤が不安定になって傾き易くバランスを崩して荷崩れを起こす危険性を生ずるという課題が有る。
【０００６】
そこで、本発明は上記課題を解決すべくなされたもので、変動表示装置の大きさの関係上、内側のガイドレールの長手方向の長さが短くなっても、遊技盤を多段に積み上げ保管する場合、バランスが崩れ難く荷崩れを起こす危険性を減ずるようにした弾球遊技機を提供することを目的とするものである。
【課題を解決するための手段】
【０００７】
かかる目的を達成するため本発明に係る弾球遊技機は、遊技盤面に障害釘、入賞装置等の盤面部品を配設した遊技部を囲うようにしてガイドレールが敷設され、前記遊技盤面を前から見てその一側に位置する前記ガイドレールが所定の範囲に亘り分断される分断部が前記遊技盤面に形成されている弾球遊技機であって、前記ガイドレールに、そのレール幅と略同じ幅を有しかつ前記分断部に接する端部から前記遊技盤面に対して直交する状態で該遊技盤面に沿って自在に進退動する補助部材を装着したことを特徴とする。
【０００８】
例えば、前記ガイドレールは略渦巻き状に敷設される外側のガイドレールと内側のガイドレールとからなり、前記分断部は前記遊技盤面を前から見てその一側上部に位置する前記外側のガイドレールの端部と該遊技盤面を前から見てその一側下部に位置する前記内側のガイドレールの端部との間に形成され、前記内側のガイドレールに前記補助部材が装着されている構成が採られる。
【０００９】
または、前記ガイドレールは略渦巻き状に敷設される外側のガイドレールと内側のガイドレールとからなり、前記分断部は前記遊技盤面を前から見てその一側上部に位置する前記外側のガイドレールの端部と該遊技盤面を前から見てその一側下部に位置する前記内側のガイドレールの端部との間に形成され、前記外側のガイドレールに前記補助部材が装着されている構成が採られる。
【００１０】
前記いずれの場合も、補助部材は前記ガイドレールの端部からその長手方向に沿って自在に進退動する補助レールであることが好ましい。
【発明の効果】
【００１１】
本発明は、遊技盤面を前から見てその一側に位置するガイドレールが所定の範囲に亘り分断される分断部が遊技盤面に形成されている弾球遊技機であって、該ガイドレールに、そのレール幅と略同じ幅を有しかつ前記分断部に接する端部から遊技盤面に対して直交する状態で該遊技盤面に沿って自在に進退動する補助部材を装着した構成からなる。よって、変動表示装置の大きさの関係上、内側のガイドレールの長手方向の長さが短くなっても、遊技盤を多段に積み上げ保管する場合、その端部から補助部材を進出させ、その分で上段の遊技盤を支持できるようにしたので、上段に位置する遊技盤を下からほぼ均等に支持することができ、バランスが崩れ難く荷崩れを起こす危険性を減少させられるという有益な効果を奏する。また、この場合、内側のガイドレールまたは外側のガイドレールの分断部に接する端部から補助部材を進退動させることができ、いずれも同等の効果を有する。
【００１２】
また、遊技盤面の中央の変動表示装置と共にその下方に位置して遊技盤面の一側に装飾部材が装着される場合、それら装飾部材の大きさがパチンコ遊技機の機種により異なっても、内側のガイドレールの端部から補助部材を進出または後退させて調整し、その端部から装飾部材までの間に補助部材を張設してその隙間を塞ぐことができる。よって、機種により装飾部材の大きさが異なっても、一つの内側のガイドレールによってそれらにすべて対応できるという効果も有る。
【００１３】
また、補助部材をガイドレールと略同じレール幅を有する補助レールにすれば、ガイドレールと遜色なく使用でき、遊技球が当接しても頑丈であって良好に使用できるという効果が有る。
【発明を実施するための最良の形態】
【００１４】
以下、本発明に係る弾球遊技機の実施の形態を図面に基づき説明する。なお、本発明は、例えばパチンコ遊技機、雀球機、アレパチ機などの弾球遊技機に適用できるが、この内、パチンコ遊技機に適用される場合について説明する。図１は本発明が適用されるパチンコ遊技機の正面図、図２は同遊技盤の拡大正面図である。図中、１は外枠であり、その前面の遊技盤取付枠（図示せず。）に遊技盤２が配置されると共に、該遊技盤取付枠の前側に遊技盤２の前面を覆うようにして前面枠３が開閉自在に軸着される。該前面枠３には中央に前記遊技盤２の遊技部２ａが臨む窓開口４が開設され、該窓開口４に合成樹脂製またはガラス製の透明板を前後に配置した透明板ユニット５が装着される。そして、窓開口４を介して前側から前記遊技部２ａが視認できるようになっている。
【００１５】
前記前面枠３は合成樹脂により成形され、その前面であって窓開口４の下方に、前方へ張り出させるようにして打球発射部（図示せず。）に供給される遊技球を貯留する球受皿６が一体に設けられる。該球受皿６の一側上面には操作部６ａが設けられ、該操作部６ａに遊技者が遊技進行中の適時に、その遊技に参加できるように作動させる押ボタン７や選択キー８が設けられる。また、前面枠３の下部一側には、打球発射部から発射される打球の打球力を調整するための打球力調整ハンドル９が装着されている。
【００１６】
次に、遊技盤２について説明する。遊技盤２は薄いベニヤ板を複数枚積層して成形され、前面にはその機種に相応しい模様や図形を印刷した合成樹脂製の化粧フィルムが貼着される。該遊技盤２の前面には、ステンレス製の内側のガイドレール１０と同じくステンレス製の外側のガイドレール１１とが遊技盤２面に対して直交する状態で略円弧状にかつ略渦巻き状に敷設され、これら内側・外側のガイドレール１０，１１に囲まれるようにして遊技部２ａが形成される。この遊技部２ａには、後記する所謂盤面部品が装着される。
【００１７】
前記内側のガイドレール１０は遊技盤２面の一側下部（例えば、遊技盤２面を前側から見て右側の下部）を端部としての始端１０ａとし、該遊技盤２面の他側上部（例えば、遊技盤２面を前側から見て左側の上部）を端部としての終端１０ｂとするように略円弧状に設けられている。また、外側のガイドレール１１は、遊技盤２面の他側下部（例えば、遊技盤２面を前側から見て左側の下部）を端部としての始端１１ａとし、遊技盤２面の一側上部（例えば、遊技盤２面を前側から見て右側の上部）を端部としての終端１１ｂとするように略円弧状に設けられている。そして、遊技盤２面の他側すなわち左側であって内側のガイドレール１０と外側のガイドレール１１との間に、打球発射部（図示せず。）から打ち出された遊技球を遊技部２ａに導く球誘導通路１２が形成される。内側のガイドレール１０の終端１０ｂに、打球発射部から球誘導通路１２を介して遊技部２ａに打ち込まれた遊技球であって、逆戻りして球誘導通路１２に入って逆走する遊技球を防ぐための戻り球防止装置１３が装着されている。
【００１８】
遊技盤２面における遊技部２ａには、所定位置に盤面部品としての無数の障害釘１４が植設され、その中央部に同じく盤面部品として大型の変動表示装置１５が配置され、その下方に同じく始動入賞口１６、更に、その下方に同じく大型の入賞装置１７が配置される。変動表示装置１５は図柄を変動表示する電子ディスプレイとしての表示部１８が備えられ、該表示部１８の周囲を囲う装飾部１９の一側１９ａ（図２では右側）が外側へ片寄って突出している。そして、該装飾部１９の下方の外側に、該装飾部１９とは別個に形成される装飾部材２０が連なるようにして装着される。前記大型の変動表示装置１５や始動入賞口１６等の盤面部品は、あらかじめ遊技盤２に所定の大きさの取付孔（図示せず。）を開設し、該取付孔に装着されることになる。
【００１９】
このように、変動表示装置１５や装飾部材２０が外側へ片寄って設けられていることから、それらが障害物となり、その右側には内側のガイドレール１０が敷設されていない。すなわち、内側のガイドレール１０の始端１０ａは、装飾部材２０の下方に位置する。遊技盤２面の所定の位置に複数の一般入賞口２１が配設され、中央下部には内側のガイドレール１０に接するようにして遊技部２ａに打ち込まれても入賞球とならなかった遊技球をアウト球として排出するためのアウト球排出口２２が設けられている。
【００２０】
そこで、球誘導通路１２を介して遊技部２ａに打ち込まれた遊技球が始動入賞口１６に入賞すると、前記変動表示装置１５に内装される表示部１８の図柄が変動表示する。そして、その変動表示した図柄が停止して特定の図柄、例えば「７７７」、に揃って遊技者に有利な特別遊技状態、所謂「大当り」状態になると、入賞装置１７の開閉扉１７ａが前側へ開いて遊技球を受け入れる。そして、一定の条件の下で一度に多くの入賞球を発生させることができるようになっている。
【００２１】
本発明にあっては、内側のガイドレール１０の始端１０ａがアウト球排出口２２を超えて少し右側へ延びた位置に設定されている。この位置は、パチンコ遊技機Ｐの機種により装飾部材２０の大きさが異なるため、それら大きさの異なる装飾部材２０すべての取付に支障のない位置に設定されている。すなわち、外側のガイドレール１１の終端１１ｂと内側のガイドレール１０の始端１０ａとの間は分断されることになり、その分断部Ｂ１により内側のガイドレール１０の始端１０ａと装飾部材２０との間には、余裕のある隙間Ｓ１が形成されるようになっている。
【００２２】
そして、図３、図４に示すように内側のガイドレール１０の外側面には、始端１０ａ側に寄せて保持部としての摺動溝２３が設けられる。この摺動溝２３は後記する補助部材としての補助レール２６を挿入して保持するためのものであり、内側のガイドレール１０の長手方向に沿った両側縁を下方で内側へコ状に屈曲させて形成される。また、該摺動溝２３の長手方向に沿った両端は開口２３ａ，２３ｂされ、摺動溝２３の長手方向に沿った中央には始端１０ａ側を一部残して長溝２４が設けられる。よって、摺動溝２３と長溝２４とは連通することになる。内側のガイドレール１０の始端１０ａには、摺動溝２３から突出するガイド片２５が一体に設けられている。
【００２３】
前記摺動溝２３に挿通される補助レール２６は、ステンレス製であって内側のガイドレール１０と略同じレール幅を有すると共に同じ極率半径で湾曲しており、該摺動溝２３内に比較的きつく嵌まり込む。手で操作することは可能であるが、補助レール２６のみでは摺動溝２３内で容易に摺動し得ないようになっている。これは、補助レール２６が内側のガイドレール１０と同じレールとしての機能を果たすためである。摺動溝２３内に収められる補助レール２６が内側のガイドレール１０の始端１０ａから引き出された状態では、該補助レール２６は遊技盤２面に対して直交する。
【００２４】
前記補助レール２６の基端部に下方へ屈曲して指先で摘める操作摘み２７が設けられる。この操作摘み２７の幅は、前記長溝２４内を移動できる幅に設定される。また、補助レール２６の長さは、摺動溝２３内に挿通した状態で、その先端が各種装飾部材２０に達するような長さに設定される。ただし、内側のガイドレール１０の途中にはアウト球排出口２２が配置され、その部位にレールを横断するような屈曲段部が設けられる関係上、その縁から始端１０ａまでの寸法範囲で補助レール２６の長さが設定される。
【００２５】
補助レール２６は、その先端を内側のガイドレール１０の始端１０ａとは反対側の開口２３ａから摺動溝２３内に挿通して保持される。そして、図２に示すように遊技盤２面に内側のガイドレール１０や外側のガイドレール１１を敷設し、更に、変動表示装置１５や始動入賞口１６、装飾部材２０を装着する。この状態では、図５（イ）に示すように、内側のガイドレール１０の右側の始端１０ａと装飾部材２０との間に、遊技部２に打ち込まれた遊技球が落下して遊技部２ａの外側へ零れ出るような隙間Ｓ１ができる。このため、指先で操作摘み２７を摘んで補助レール２６を図５（イ）矢視方向へ摺動させ、その先端を装飾部材２０の側面に近接させて位置させる。この補助レール２６はその位置にしっかりと保持され、落下する遊技球が衝突しても緩んで必要もなく摺動することがない。これにより、前記隙間Ｓ１が塞がれることになる。
【００２６】
一方、図５（ロ）に示すように、装飾部材２０ａが図５（イ）に示される装飾部材２０よりも小さく、内側のガイドレール１０の始端１０ａとその装飾部材２０ａとの間の隙間Ｓ２が図５（イ）よりも広くなった場合は、その分補助レール２６を装飾部材２０ａ側へ更に進出すようにする。これにより、前記と同じように補助レール２６により隙間Ｓ２を塞ぐことができる。逆に、図５（イ）よりも装飾部材２０ａが大きく隙間Ｓ２が狭くなったときは、その分補助レール２６を後退させれば良い。
【００２７】
このように、パチンコ遊技機Ｐの機種により遊技盤２面の一側に装着される装飾部材２０，２０ａの大きさが異なっても、内側のガイドレール１０の始端１０ａから補助レール２６を進出または後退させて調整し、その始端１０ａから装飾部材２０，２０ａまでの間に補助レール２６を張設してその隙間Ｓ１，Ｓ２を塞ぐことができる。よって、機種により装飾部材２０，２０ａの大きさが異なっても、一つの内側のガイドレール１０によってそれらにすべて対応できることになる。前記摺動溝２３における長溝２４の一方端（内側のガイドレール１０の始端１０ａとは反対側）が開放しているので、その側から補助レール２６を取り外すことができ、これにより補助レール２６の交換が可能になるばかりか、不要なときは補助レール２６を取り外しておくこともできる。
【００２８】
そこで、本発明に係るパチンコ遊技機Ｐにあっては、通常、その製造過程で、図６に示すように遊技盤２面の所定位置に多くの障害釘１４を打設すると共にレール釘２８を遊技盤２面に打ち込むことにより内側・外側のガイドレール１０，１１を敷設する。そして、図７に示すように障害釘１４と内側・外側のガイドレール１０，１１を設けた状態で、遊技盤２を多段に積み上げ保管するようにしている。この際、内側のガイドレール１０の始端１０ａから補助レール２６を最大限引き出しておく。
【００２９】
遊技盤２面に装着される入賞装置１７等の所謂役物がない状態では、遊技盤２を多段に積み上げて保管する場合、変動表示装置１５の一側、すなわち右側に相当する部位に内側のガイドレール１０も外側のガイドレール１１もない分断部Ｂ１が形成されることから、その部位で上段の遊技盤２を支持することができないため、上段に位置する遊技盤２を下からほぼ均等に支持することが難しく、バランスが崩れて荷崩れを起こす危険性が多い。しかし、このような場合、内側のガイドレール１０の分断部Ｂ１と接する始端１０ａから補助レール２６を進出させ一杯に引き出しておけば、その補助レール２６によってその分で上段の遊技盤２を下から支えることができるようになって安定性が増し、荷崩れを起こす危険性が減少される。
【００３０】
以上の説明では、内側のガイドレール１０に補助レール２６を装着にしたが、図８に示すように外側のガイドレール１１に補助レール２６１を装着するようにしても良い。この場合、内側のガイドレール１０の始端１０ａの位置は、変動入賞装置１５または装飾部材２０，２０ａの位置によってあらかじめ設定しておく。そして、前記内側のガイドレール１０と同様に、外側のガイドレール１１の外側面であってその終端１１ｂ側に寄せて保持部としての摺動溝２３１が設けられる。この摺動溝２３１も、外側のガイドレール１１の長手方向に沿った両側縁を上方で外側へコ状に屈曲させて形成される。また、該摺動溝２３１の長手方向に沿った両端は開口２３１ａ，２３１ｂされ、摺動溝２３１の長手方向に沿った中央には終端１１ｂ側を一部残して長溝２４１が設けられる。よって、摺動溝２３１と長溝２４１とは連通することになる。外側のガイドレール１１の終端１１ｂには、摺動溝２３１から突出するガイド片２５１が一体に設けられる。
【００３１】
前記摺動溝２３１に挿通される補助レール２６１は、ステンレス製であって外側のガイドレール１１と略同じレール幅を有すると共に同じ極率半径で湾曲しており、該摺動溝２３１内に比較的きつく嵌まり込む。手で操作することは可能であるが、補助レール２６１のみでは摺動溝２３１内で容易に摺動し得ないようになっている。前記補助レール２６１の基端部に上方へ屈曲して指先で摘める操作摘み２７１が設けられる。この操作摘み２７１の幅は、前記長溝２４１内を移動できる幅に設定される。また、補助レール２６１の長さは、内側のガイドレール１０の始端１０ａと外側のガイドレール１１の終端１１ｂとの間に形成される分断部Ｂ２の一部を塞ぎ、しかも、前記遊技盤２を多段に積み重ねたときに、上段に位置する遊技盤２を下からほぼ均等に支持することができる範囲で設定される。
【００３２】
そして、摺動溝２３１内に収められる補助レール２６１が外側のガイドレール１１の終端１１ｂから引き出された状態では、該補助レール２６１は遊技盤２面に対して直交する。このように、外側のガイドレール１１の終端１１ｂから補助レール２６１を進出させ一杯に引き出しておけば、その補助レール２６１によってその分で上段の遊技盤２を下から支えることができるようになって安定性が増し、荷崩れを起こす危険性が減少される。
【００３３】
この補助レール２６１は、専ら障害釘１４と共に内側・外側のガイドレール１０，１１を設けた状態で遊技盤２を多段に積み上げ保管する場合に使用される。そして、その先端を外側のガイドレール１１の終端１１ｂとは反対側の開口２３１ａから摺動溝２３１内に挿通して保持される。遊技盤２を多段に積み重ね保管している間は、外側のガイドレール１１の終端１１ｂから補助レール２６を一杯に引き出しておく。しかしながら、その後に入賞装置１７等の他の盤面部品を遊技盤２面に装着する時点では、補助レール２６１を外側のガイドレール１１の終端１１ｂから内側へ収納しておく。なぜならば、その後は使用されないからである。なお、必要であれば、内側のガイドレール１０と外側のガイドレール１１のいずれにも補助レール２６，２６１を装着して、それぞれ内側のガイドレール１０の始端１０ａと外側のガイドレール１１の終端１１ｂから進退動させるようにしても良い。
【００３４】
本発明にあっては、補助部材として補助レール２６，２６１を示したが、これに限定されるものではない。内側のガイドレール１０のレール幅と略同じ幅を有しかつ遊技盤２面に対して直交する状態で内側のガイドレール１０の始端１０ａまたは外側のガイドレール１１の終端１１ｂから遊技盤２面に沿って自在に進退動するものであれば、例えば帯状であってしかも網状または格子状のものでも良い。
【００３５】
また、摺動溝２３を内側のガイドレール１０の外側面または外側のガイドレール１１の外側面に角筒状に成形したが、これに限定するものではなく、例えば、内側・外側のガイドレール２３，２３１の外側面の両側縁に沿って補助レール２６，２６１の両側縁を支持するコ字型のフック部を列設するようにしても良い。また、補助レール２６，２６１はステンレス製のもので説明したが、この材質に限定されるものではなく、例えば合成樹脂製であっても良いことは勿論である。
【図面の簡単な説明】
【００３６】
【図１】本発明が適用されるパチンコ遊技機の正面図。
【図２】同遊技盤の拡大正面図。
【図３】（イ）は内側のガイドレールの始端の拡大斜視図、（ロ）は図３（イ）のＸ−Ｘ線拡大断面図。
【図４】裏側から見た内側のガイドレールの始端側の分解斜視図。
【図５】（イ）補助レールの作用を示す遊技盤面の一部の拡大正面図、（ロ）は同遊技盤面の一部の拡大正面図。
【図６】内側・外側のガイドレールを敷設する状態を示す遊技盤の斜視図。
【図７】内側・外側のガイドレールを敷設した状態を示す遊技盤の斜視図。
【図８】同外側のガイドレールに補助レールを取着した遊技盤の斜視図。
【符号の説明】
【００３７】
２        遊技盤
２ａ      遊技部
１０      ガイドレール（内側のガイドレール）
１０ａ    端部（始端）
１０ｂ    端部（終端）
１１      ガイドレール（外側のガイドレール）
１４      障害釘
１７      入賞装置
２６      補助部材（補助レール）
２６１    補助部材（補助レール）
Ｂ１      分断部
Ｂ２      分断部
Ｐ        弾球遊技機（パチンコ遊技機）
【図１】
0004753965.tif 000002
【図２】
0004753965.tif 000003
【図３】
0004753965.tif 000004
【図４】
0004753965.tif 000005
【図５】
0004753965.tif 000006
【図６】
0004753965.tif 000007
【図７】
0004753965.tif 000008
【図８】
0004753965.tif 000009